(57)【特許請求の範囲】
【請求項１】
第１のカード及び第２のカードをそれぞれ収納する第１のカード収納空間及び第２のカード収納空間がそれぞれの開口が対向するように電子機器に設けられ、
前記２つの開口の間に弾性片が配置され、
前記弾性片は前記第１のカード収納空間の開口側の端が固定端となり且つ第２のカード収納空間の開口側の端が自由端となるよう前記電子機器に設けられ、
前記弾性片は前記固定端が第２のカード収納空間の開口の対向位置より外れた位置にあり、且つ前記自由端が第２のカード収納空間の開口の対向位置にあり、且つ前記固定端から前記自由端に向かって傾斜する傾斜面を有して延設されており、
前記第１のカードは、前記傾斜面をスライドして第１のカード収納空間に収納され、
前記第２のカードが前記第２のカード収納空間に挿入された際、前記第２のカードの後端が前記弾性片の自由端に当たることによって、第２のカードの抜けが防止される、
ことを特徴とするカード収納構造。
【請求項２】
電池パックが収納される電池収納部を有する電子機器において、
第１のカード及び第２のカードをそれぞれ収納する第１のカード収納空間及び第２のカード収納空間がそれぞれの開口が対向するように前記電池収納部に設けられ、
前記２つの開口の間に弾性片が配置され、
前記弾性片は前記第１のカード収納空間の開口側の端が固定端となり且つ第２のカード収納空間の開口側の端が自由端となるよう前記電池収納部に設けられ、
前記弾性片は前記固定端が第２のカード収納空間の開口の対向位置より外れた位置にあり、且つ前記自由端が第２のカード収納空間の開口の対向位置にあり、且つ前記固定端から前記自由端に向かって傾斜する傾斜面を有して延設されており、
前記第１のカードは、前記傾斜面をスライドして第１のカード収納空間に収納され、
前記第２のカードが前記第２のカード収納空間に挿入された際、前記第２のカードの後端が前記弾性片の自由端に当たることによって、第２のカードの抜けが防止される、
ことを特徴とする電子機器。
【請求項３】
前記電池パックの裏面に突起が形成され、前記電池収納部に前記電池パックが収納されると前記突起が前記第１のカード収納空間の開口の対向位置に入り込むことを特徴とする請求項２に記載の電子機器。
【発明の詳細な説明】
【技術分野】
【０００１】
本発明は、２枚のカードを収納するカード収納構造及びそのカード収納構造を有する電子機器に関する。
【背景技術】
【０００２】
携帯型電話機等の電子機器は二次電池の電池パックを有し、その電池パックは着脱可能とされている。携帯型電話機において電池パックが装着される電池収納部には、カードコネクタが設けられ、ＳＩＭ（Subscriber Identity Module）カード、ＵＩＭ（User Identity Module）カードのような加入者を識別するためのＩＣカードがそのカードコネクタに挿入される。例えば、特許文献１に記載されているように、電池収納部（開口部２）の底にカードコネクタ（６）を設け、カード（３１）をスライドさせることによってそのカードをカードコネクタに挿入すると、カードを保持することができる。また、カードコネクタからカードが抜けないように、カードコネクタに挿入されたカードの端部近傍に弾性片（ケース側ストッパ７）を設けたり、電池パック（カバー兼バッテリー８）の裏面に突起（バッテリー側ストッパ）を設けたりしている。弾性片については、その弾性片の一端を固定端とし、弾性片の他端を自由端としているので、カードを挿入する際にはカードで弾性片を押し込んで弾性片を変形させ、カードをスライドさせることによってカードをカードコネクタに挿入することができる。カードがカードコネクタに挿入されると、弾性片が復元し、その弾性片によってカードの抜けを防止することができる。一方、弾性片を指等で押し込めば、カードコネクタからカードを取り外すことができる。突起については、電池パックを電池収納部に装着すれば、その突起によってカードの抜けが防止される。
【特許文献１】特開２００１−２４４００４号公報
【発明の開示】
【発明が解決しようとする課題】
【０００３】
ところで、携帯型電話機で使用されているカードとしては、前述したＳＩＭカードのように識別カードだけでなく、メモリーカードも使用されており、１台の携帯型電話機に使用するカードが２枚になることもあり、２枚のカードを電池収納部に収納することが望まれている。しかし、電池収納部のような限られたスペースに２枚のカードを収納できるような携帯型電話機が開発されていない。また、単に２枚のカードを電池収納部に収納できるようにしたものとしても、一方のカードが他方のカードの取り出しに邪魔になることがある。
【０００４】
そこで、本発明は、２枚のカードを互いに近くに収納した場合でも、一方のカードが他方のカードの取り外しに邪魔にならないようにすることを目的とする。
【課題を解決するための手段】
【０００５】
以上の課題を解決するために、請求項１に係る発明は、
第１のカード及び第２のカードをそれぞれ収納する第１のカード収納空間及び第２のカード収納空間がそれぞれの開口が対向するように電子機器に設けられ、
前記２つの開口の間に弾性片が配置され、
前記弾性片は前記第１のカード収納空間の開口側の端が固定端となり且つ第２のカード収納空間の開口側の端が自由端となるよう前記電子機器に設けられ、
前記弾性片は前記固定端が第２のカード収納空間の開口の対向位置より外れた位置にあり、且つ前記自由端が第２のカード収納空間の開口の対向位置にあり、且つ前記固定端から前記自由端に向かって傾斜する傾斜面を有して延設されており、
前記第１のカードは、前記傾斜面をスライドして第１のカード収納空間に収納され、
前記第２のカードが前記第２のカード収納空間に挿入された際、前記第２のカードの後端が前記弾性片の自由端に当たることによって、第２のカードの抜けが防止される、
ことを特徴とする。
【０００７】
請求項２に係る発明は、
電池パックが収納される電池収納部を有する電子機器において、
第１のカード及び第２のカードをそれぞれ収納する第１のカード収納空間及び第２のカード収納空間がそれぞれの開口が対向するように前記電池収納部に設けられ、
前記２つの開口の間に弾性片が配置され、
前記弾性片は前記第１のカード収納空間の開口側の端が固定端となり且つ第２のカード収納空間の開口側の端が自由端となるよう前記電池収納部に設けられ、
前記弾性片は前記固定端が第２のカード収納空間の開口の対向位置より外れた位置にあり、且つ前記自由端が第２のカード収納空間の開口の対向位置にあり、且つ前記固定端から前記自由端に向かって傾斜する傾斜面を有して延設されており、
前記第１のカードは、前記傾斜面をスライドして第１のカード収納空間に収納され、
前記第２のカードが前記第２のカード収納空間に挿入された際、前記第２のカードの後端が前記弾性片の自由端に当たることによって、第２のカードの抜けが防止される、
ことを特徴とする。
【０００９】
請求項３に係る発明は、請求項２に記載の電子機器において、
前記電池パックの裏面に突起が形成され、前記電池収納部に前記電池パックが収納されると前記突起が前記第１のカード収納空間の開口の対向位置に入り込むことを特徴とする。
【発明の効果】
【００１０】
本発明によれば、弾性片の固定端が第２の収納空間の開口の対向位置より外れた位置にあり、且つ弾性片の自由端が第２の収納空間の開口の対向位置にあり、且つ固定端から自由端に向かって傾斜する傾斜面を有した弾性片が延設されているので、第２のカードが第２のカード収納空間に開口から挿入されると、弾性片の自由端によって第２のカードの抜けが防止される。
また、第１のカード収納空間の開口に挿入された第１のカードを外す場合には、第１のカードを第２のカード収納空間の開口に向けて移動させるが、このとき第１のカードが弾性片の傾斜面によって案内されて、第１のカードが第２のカード収納空間の開口に挿入された第２のカードに載るようにすることができる。第２のカード収納空間の開口に挿入された第２のカードが、第１のカード収納空間の開口に挿入された第１のカードを取り外すのに邪魔にならない。そのため、第１のカード収納空間と第２のカード収納空間の開口の間隔を狭めることができ、電池収納部のように限られたスペースでも２枚のカードを収納することができ、電子機器の肥大化を抑えることができる。
【発明を実施するための最良の形態】
【００１１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１２】
図１、図２は、電池パック６を外した状態の携帯型電話機１の斜視図である。
この携帯型電話機１においては、上筐体２がヒンジ４によって下筐体３に連結され、上筐体２がヒンジ４の軸を中心にして下筐体３に対して回動可能となっている。下筐体３に対して上筐体２が閉じた状態では、上筐体２の前面が下筐体３の前面に対面し、下筐体３に対して上筐体２が開いた状態では、上筐体２の前面及び下筐体３の前面のどちらも正面を向いている。
【００１３】
下筐体３の後面には電池収納凹部５が凹設され、電池パック６が電池収納凹部５に嵌め込まれて収納される。電池パック６の下端部には爪７が設けられ、その爪７が電池収納凹部５の爪受け部８に係止する。電池パック６の上端部には、切欠き９が設けられ、下筐体３の後面には回動爪部材１０が設けられ、回動爪部材１０の爪１１が切欠き９に係止する。これにより、電池パック６が下筐体３に固定される。また、回動爪部材１０は回動可能に設けられ、回動爪部材１０の回動によって爪１１と切欠き９が係止したり、その係止が解除されたりする。
【００１４】
電池収納凹部５の底にはカード装着用凹部１２が形成されている。カード装着用凹部１２は、上下方向に長尺な帯状の溝である。カード装着用凹部１２の底であってその上側には、カード９１を抱持するための第１保持カバー１３が設けられ、カード装着用凹部１２の底であってその下側には、カード９２を抱持するための第２保持カバー１４が設けられている。また、第１保持カバー１３と第２保持カバー１４の間には、弾性片４０が設けられている。
【００１５】
図３は、電池パック６を装着し且つカード９１及びカード９２を外した状態の縦断面図である。
図１〜図３に示すように、第１保持カバー１３はカード９１の厚み分だけカード装着用凹部１２の底から離れており、第１保持カバー１３とカード装着用凹部１２の底との間に第１カード収納空間１５が形成され、その第１カード収納空間１５が下側で開口している。その開口１７の下から上に向けてカード９１をスライドさせることで、カード９１が開口１７から第１カード収納空間１５に挿入される。
【００１６】
第１カード収納空間１５の奥にはストッパ２１が設けられている。また、第１カード収納空間１５の奥側であってカード装着用凹部１２の底には、複数の接片部材１９が設けられている。接片部材１９は、金属片を山形状に設けたものである。第１カード収納空間１５にカード９１が装着されると、接片部材１９がカード９１に押されて弾性変形し、カード９１が接片部材１９と第１保持カバー１３との間に挟み込まれ、接片部材１９の復元力によってカード９１を挟み込む荷重が増し、カード９１が第１カード収納空間１５から抜けにくくなる。この接片部材１９は端子としても機能し、カード９１の端子パッドに接片部材１９が接すること電流・電圧をカード９１に印加することができる。なお、カード９１はＩＣカードであり、ＩＣカードとしてはメモリカード（例えば、ミニＳＤ（Secure Digital（登録商標））カード、マイクロＳＤ（Secure Digital（登録商標））カードなど）、識別カード（例えば、ＳＩＭカード、ＵＩＭカードなど）がある。
【００１７】
第２保持カバー１４はカード９２の厚み分だけカード装着用凹部１２の底から離れており、第２保持カバー１４とカード装着用凹部１２の底との間に第２カード収納空間１６が形成され、その第２カード収納空間１６が上側で開口している。第２カード収納空間１６の開口１８は第１カード収納空間１５の開口１７に向き合っている。第２カード収納空間１６の開口１８の上から下に向けてカード９２をスライドさせることで、カード９２が開口１８から第２カード収納空間１６に挿入される。
【００１８】
第２カード収納空間１６の奥にはストッパ２２が設けられている。第２カード収納空間１６内であってカード装着用凹部１２の底には、複数の接片部材２０が設けられている。接片部材２０は、接片部材１９と同様に、金属片を山形状に設けた端子である。第２カード収納空間１６にカード９２が装着されると、弾性変形した接片部材２０がカード９２の端子パッドに接する。なお、カード９２はＩＣカードであり、ＩＣカードとしてはメモリカード（例えば、ミニＳＤカード、マイクロＳＤカードなど）、識別カード（例えば、ＳＩＭカード、ＵＩＭカードなど）がある。
【００１９】
弾性片４０の上端４０ａがカード装着用凹部１２の底に連設され、その上端４０ａが固定端とされている。カード装着用凹部１２の底であって弾性片４０の周囲（上端４０ａを除く。）が切り欠いた状態に設けられ、弾性片４０の下端４０ｂが自由端とされている。弾性片４０は上端４０ａから下端４０ｂに向かって徐々に高くなるように延設されている。高い位置の下端４０ｂが開口１８に対向位置にあり、低い位置の上端４０ａが開口１８の対向位置から外れている。
【００２０】
図１に示すように、カード装着用凹部１２の底のうち開口１７から弾性片４０にかけて、傾斜面５１が形成されている。この傾斜面５１は、第１保持カバー１３から弾性片４０に向けて高くなるよう傾斜している。
【００２１】
また、電池パック６の裏面には突起６１が形成されている。電池パック６が電池収納凹部５に装着されると、突起６１が第１保持カバー１３と弾性片４０との間において開口１７の対向位置に入り込む。
【００２２】
次に、以上のように構成された携帯型電話機におけるカードの着脱動作について、図３〜図６を用いて説明する。ここで、図４はカード９１を装着している状態を示す断面図であり、図５はカード９２を装着している状態を示す断面図であり、図６はカード９１、カード９２及び電池パック６を装着した状態を示す断面図である。
【００２３】
まず、２つの回動爪部材１０をそれぞれ回動させ、爪１１を切欠き９から外し、電池パック６を電池収納凹部５から外す。
【００２４】
次に、図４に示すように、カード９１の先端を第１カード収納空間１５の開口１７に向けて、カード９１を傾斜面５１に当てる。次に、カード９１を上にスライドさせ、カード９１を開口１７から第１カード収納空間１５へ挿入する。この時、カード９１は第１保持カバー１３によってガイドされる。そして、カード９１の先端がストッパ２１に当たって止まり、接片部材１９がカード９１の端子パッドに接する。
【００２５】
一方、図５に示すように、カード９２の先端を第２カード収納空間１６の開口１８に向けて、カード９２によって弾性片４０を押し付ける。これにより弾性片４０がカード装着用凹部１２の底へ曲げられるよう弾性変形する。次に、カード９２を下にスライドさせ、カード９２を開口１８から第２カード収納空間１６へ挿入する。この時、カード９２は第２保持カバー１４によってガイドされる。そして、カード９２の先端がストッパ２２に当たって止まり、接片部材２０がカード９２の端子パッドに接する。カード９２がストッパ２２に当たると、カード９２が弾性片４０よりも下方に位置するので、弾性片４０がその復元力により元に戻り、弾性片４０はその下端４０ｂが開口１８の対向位置にあるように延設された状態になる。弾性片４０の下端４０ｂがカード９２の端部に当たることによって、カード９２が第２カード収納空間１６から上へ抜けることが防止される。
【００２６】
カード９１とカード９２の両方を装着する場合には、カード９１を先に装着しても良いし、カード９２を先に装着しても良い。カード９１とカード９２のどちらが先でも両方を装着することができる。
【００２７】
次に、図６に示すように、電池パック６を電池収納凹部５に収納すると、突起６１がカード９１よりも下側の空間に入り込む。突起６１によりカード９１が第１カード収納空間１５から下へ抜けることが防止される。
【００２８】
カード９１やカード９２を取り出す際には、まず電池パック６を電池収納凹部５から外す。カード９１を下にスライドさせると、カード９１を取り外すことができる。この時、傾斜面５１、弾性片４０によってカード９１を装着済みのカード９２に載せるようにしてそのカード９１をスライドさせることができる。一方、カード９２を取り出す際には、まず指等で弾性片４０を押し付けて、弾性片４０をカード装着用凹部１２の底へ曲げるように弾性変形させる。そして、カード９２を上にスライドさせて、弾性片４０にカード９２を載せるようにしてカード９２を更にスライドさせると、カード９２を取り外すことができる。ここで、弾性片４０の復元によってカード９２がカード収納凹部１２の底から浮いた上になっているので、カード９２を取り外しやすい。カード９２を取り外すと、弾性片４０が復元力により元に戻る。
【００２９】
カード９１とカード９２の両方が装着されている場合には、カード９１を先に外しても良いし、カード９２を先に外しても良い。カード９１とカード９２のどちらが先でも両方を外すことができる。なお、カードの着脱の容易性から見ると、カード９１の方がカード９２よりも若干着脱が容易なので、例えば、装着するカードがメモリカードと認証カードである場合には、カード９１が着脱頻度の高いメモリカード（より望ましくは、マイクロＳＤカードのようなカードサイズの小さいメモリカード）、カード９２が着脱頻度の少ないＵＩＭカードのような認証カードであることが望ましい。
【００３０】
以上のように本実施形態によれば、カード９１とカード９２の両方が装着されている場合に、カード９１を下にスライドさせて取り外す時にはカード９１が傾斜面５１や弾性片４０によって案内されてカード９２に載せるようにすることができる。そのため、開口１７よりも下側にカード９１の長さ分のスペースが無くとも、そのカード９１を第１カード収納空間１５から完全に抜き出すことができる。そのため、開口１７と開口１８の間隔を狭めることができ、電池収納凹部５のように限られたスペースでも２枚のカード９１，９２を収納することができ、携帯型電話機１の肥大化を抑えることができる。
【００３１】
なお、本発明は、上記実施形態に限定されることなく、本発明の趣旨を逸脱しない範囲において、種々の改良並びに設計の変更を行っても良い。
例えば上記実施形態では電子機器として携帯型電話機１を例に挙げて説明を行ったが、ノート型パーソナルコンピュータ、デジタルカメラ、腕時計、ＰＤＡ（Personal Digital Assistance）、電子手帳、携帯型無線機、その他の電子機器の側面に押釦を設ける場合にも本発明を適用しても良い。
【図面の簡単な説明】
【００３２】
【図１】電池パックを外して電池パックの裏面を示した状態の携帯型電話機の斜視図である。
【図２】電池パックを外して電池パックの表面を示した状態の携帯型電話機の斜視図である。
【図３】電池パックを装着し且つ２枚のカードを外した状態の縦断面図である。
【図４】一方のカードを装着している状態を示す縦断面図であり
【図５】他方のカードを装着している状態を示す縦断面図である。
【図６】２枚のカード及び電池パックを装着した状態を示す縦断面図である。
【符号の説明】
【００３３】
１  携帯型電話機（電子機器）
５  電池収納凹部
１５  第１カード収納空間
１６  第２カード収納空間
１７  開口（他方の開口）
１８  開口（一方の開口）
４０  弾性片
４０ａ  上端（固定端）
４０ｂ  下端（自由端）
６１  突起
【図１】
0004662884.tif 000002
【図２】
0004662884.tif 000003
【図３】
0004662884.tif 000004
【図４】
0004662884.tif 000005
【図５】
0004662884.tif 000006
【図６】
0004662884.tif 000007